【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
温度補償された水晶発振器であって、
水晶発振器と、
前記温度補償された水晶発振器の補償温度範囲の全温度にわたって１次温度補償作用をもたらす１次温度補償信号を生成するように構成された１次温度補償信号発生器であって、前記水晶発振器の周波数対温度誤差を低減し、残留周波数対温度誤差を残すために、前記１次温度補償作用は、前記補償温度範囲の全温度わたって前記水晶発振器の周波数対温度特性を補完する１次温度補償信号発生器と、
前記補償温度範囲内で２次温度補償作用をもたらす２次温度補償信号を生成するように構成された２次温度補償信号発生器であって、前記残留周波数対温度誤差を低減するために、前記２次温度補償作用は、前記残留周波数対温度誤差を補完する２次温度補償信号発生器と、を備え、
前記温度補償された水晶発振器は、前記残留周波数対温度誤差の特徴付けを容易にするために、前記１次温度補償作用の下でのみ動作するように構成され、
前記２次温度補償信号は、アナログ温度センサの出力信号の関数としてアナログ回路によって生成される少なくとも１つのアナログ温度補償信号を含み、
前記関数が、プラトー領域、及び連続的にかつ滑らかに接続された実質的により大きい勾配領域を含む、温度補償された水晶発振器。
【請求項２】
前記２次温度補償信号が、アナログ温度センサの出力信号の関数としてアナログ回路によって生成される２つ以上のアナログ信号の組み合わせを含み、
前記関数のうちの少なくとも１つが、プラトー領域、及び連続的にかつ滑らかに接続された実質的により大きい勾配領域を含む、請求項１に記載の温度補償された水晶発振器。
【請求項３】
前記関数がいずれも、プラトー領域、及び連続的にかつ滑らかに接続された実質的により大きい勾配領域を含み、シグモイド関数を含む、請求項１または請求項２に記載の温度補償された水晶発振器。
【請求項４】
前記シグモイド関数が、双曲線正接（Ｔａｎｈ）関数を含む、請求項３に記載の温度補償された水晶発振器。
【請求項５】
前記シグモイド関数が、逆正接（ａｒｃｔａｎ）関数を含む、請求項３に記載の温度補償された水晶発振器。
【請求項６】
前記関数のうちの２つ以上が、プラトー領域、及び連続的にかつ滑らかに接続された実質的により大きい勾配領域を含む、請求項２に記載の温度補償された水晶発振器。
【請求項７】
前記関数のうちの２つ以上が、シグモイド関数を含む、請求項６に記載の温度補償された水晶発振器。
【請求項８】
温度補償された水晶発振器を構築するために好適な集積回路であって、
前記温度補償された水晶発振器の補償温度範囲の全温度にわたって１次温度補償作用をもたらす１次温度補償信号を生成するように構成された１次温度補償信号発生器であって、前記水晶発振器の周波数対温度誤差を低減し、残留周波数対温度誤差を残すために、前記１次温度補償作用は、前記補償温度範囲の全温度わたって前記水晶発振器の周波数対温度特性を補完する１次温度補償信号発生器と、
前記補償温度範囲内で２次温度補償作用をもたらす２次温度補償信号を生成するように構成された２次温度補償信号発生器であって、前記残留周波数対温度誤差を低減するために、前記２次温度補償作用は、前記残留周波数対温度誤差を補完する２次温度補償信号発生器と、を備え、
前記温度補償された水晶発振器は、前記残留周波数対温度誤差の特徴付けを容易にするために、前記１次温度補償作用の下でのみ動作するように構成され、
前記２次温度補償信号は、アナログ温度センサの出力信号の関数としてアナログ回路によって生成される少なくとも１つのアナログ温度補償信号を含み、
前記関数が、プラトー領域、及び連続的にかつ滑らかに接続された実質的により大きい勾配領域を含む、集積回路。
【請求項９】
前記２次温度補償信号が、アナログ温度センサの出力信号の関数としてアナログ回路によって生成される２つ以上のアナログ信号の組み合わせを含み、
前記関数のうちの少なくとも１つが、プラトー領域、及び連続的にかつ滑らかに接続された実質的により大きい勾配領域を含む、請求項８に記載の集積回路。
【請求項１０】
前記関数がいずれも、プラトー領域、及び連続的にかつ滑らかに接続された実質的により大きい勾配領域を含み、シグモイド関数を含む、請求項８または請求項９のいずれか１項に記載の集積回路。
【請求項１１】
前記シグモイド関数が、双曲線正接（Ｔａｎｈ）関数を含む、請求項１０に記載の集積回路。
【請求項１２】
前記シグモイド関数が、逆正接（ａｒｃｔａｎ）関数を含む、請求項１０に記載の集積回路。
【請求項１３】
前記関数のうちの２つ以上が、プラトー領域、及び連続的にかつ滑らかに接続された実質的により大きい勾配領域を含む、請求項９に記載の集積回路。
【請求項１４】
前記関数のうちの２つ以上が、シグモイド関数を含む、請求項１３に記載の集積回路。
【請求項１５】
温度補償された水晶発振器を製造する方法であって、
前記水晶発振器の各々は、
前記温度補償された水晶発振器の補償温度範囲の全温度にわたって１次温度補償作用をもたらす１次温度補償信号を生成するように構成された１次温度補償信号発生器であって、前記１次温度補償作用は、前記補償温度範囲の全温度わたって前記水晶発振器の周波数対温度特性を補完する１次温度補償信号発生器と、
前記１次温度補償作用によって残された前記水晶発振器の前記残留周波数対温度誤差を低減するために、前記補償温度範囲内で２次温度補償作用をもたらす２次温度補償信号を生成するように構成された２次温度補償信号発生器と、を備え、
前記２次温度補償信号は、アナログ温度センサの出力信号の関数としてアナログ回路によって生成される少なくとも１つのアナログ温度補償信号を含み、
前記関数が、プラトー領域、及び連続的にかつ滑らかに接続された実質的により大きい勾配領域を含み、
前記方法は、
（ａ）前記温度補償された水晶発振器を前記１次温度補償作用の下でのみ動作させるステップと、
（ｂ）前記１次温度補償作用の下でのみ動作する前記温度補償された水晶発振器の残留周波数対温度誤差を特徴付けるステップと、
（ｃ）前記ステップ（ｂ）において特徴付けられた前記残留周波数対温度誤差を補完する２次温度補償作用をもたらす前記少なくとも１つのアナログ温度補償信号の、前記実質的により大きい勾配領域の水平位置、前記実質的により大きい勾配領域の勾配値、及び前記実質的により大きい勾配領域にわたる関数値変化度合いのうちのいずれか１つ以上を個々に調節して、前記残留周波数対温度誤差を低減するステップと、
を含む、方法。
【請求項１６】
前記実質的により大きい勾配領域の水平位置、前記実質的により大きい勾配領域の勾配値、及び前記実質的により大きい勾配領域にわたる関数値変化度合いの全てを個々に調節することを含む、請求項１５に記載の方法。
【請求項１７】
温度補償された水晶発振器であって、
水晶発振器と、
前記温度補償された水晶発振器の補償温度範囲の全温度にわたって１次温度補償作用をもたらす１次温度補償信号を生成するように構成された１次温度補償信号発生器であって、前記水晶発振器の周波数対温度誤差を低減し、残留周波数対温度誤差を残すために、前記１次温度補償作用は、前記補償温度範囲の全温度わたって前記水晶発振器の周波数対温度特性を補完する１次温度補償信号発生器と、
前記補償温度範囲内で２次温度補償作用をもたらす２次温度補償信号を生成するように構成された２次温度補償信号発生器であって、前記残留周波数対温度誤差を低減するために、前記２次温度補償作用は、前記残留周波数対温度誤差を補完する２次温度補償信号発生器と、を備え、
前記温度補償された水晶発振器は、前記残留周波数対温度誤差の特徴付けを容易にするために、前記１次温度補償作用の下でのみ動作するように構成され、
前記２次温度補償信号は、アナログ温度センサの出力信号の関数としてアナログ回路によって生成される少なくとも１つのアナログ温度補償信号を含み、
前記関数が、以下の要件：
−前記関数が、プラトー領域、及び連続的にかつ滑らかに接続された実質的により大きい勾配領域を含むこと、を満たす、温度補償された水晶発振器。
【請求項１８】
前記関数の前記実質的により大きい勾配領域の水平位置、前記関数の前記実質的により大きい勾配領域の勾配値、及び前記関数の前記実質的により大きい勾配領域にわたる関数値変化度合いは、調節可能である、請求項１７に記載の温度補償された水晶発振器。
【請求項１９】
前記関数の少なくとも１つの実質的により大きい勾配領域の水平位置、前記関数の少なくとも１つの実質的により大きい勾配領域の勾配値、及び前記関数の少なくとも１つの実質的により大きい勾配領域にわたる関数値変化度合いのいずれか１つ以上は、調節可能である、請求項２に記載の温度補償された水晶発振器。
【請求項２０】
前記関数の少なくとも１つの実質的により大きい勾配領域の水平位置、前記関数の少なくとも１つの実質的により大きい勾配領域の勾配値、及び前記関数の少なくとも１つの実質的により大きい勾配領域にわたる関数値変化度合いは、調節可能である、請求項２に記載の温度補償された水晶発振器。
【請求項２１】
温度補償された水晶発振器を構築するために好適な１次集積回路を使用するための補助集積回路であって、
前記１次集積回路は、前記温度補償された水晶発振器の補償温度範囲の全温度にわたって１次温度補償作用をもたらす１次温度補償信号を生成するように構成された１次温度補償信号発生器であって、前記水晶発振器の周波数対温度誤差を低減し、残留周波数対温度誤差を残すために、前記１次温度補償作用は、前記補償温度範囲の全温度わたって前記水晶発振器の周波数対温度特性を補完する１次温度補償信号発生器を備え、
前記補助集積回路は、前記補償温度範囲内で２次温度補償作用をもたらす２次温度補償信号を生成するように構成された２次温度補償信号発生器であって、前記残留周波数対温度誤差を低減するために、前記２次温度補償作用は、前記残留周波数対温度誤差を補完する２次温度補償信号発生器を備え、
前記温度補償された水晶発振器は、前記残留周波数対温度誤差の特徴付けを容易にするために、前記１次温度補償作用の下でのみ動作するように構成され、
前記２次温度補償信号は、アナログ温度センサの出力信号の関数としてアナログ回路によって生成される少なくとも１つのアナログ温度補償信号を含み、
前記関数が、プラトー領域、及び連続的にかつ滑らかに接続された実質的により大きい勾配領域を含む、集積回路。
【請求項２２】
請求項１〜７および１７〜２０のいずれか１項に記載の温度補償された水晶発振器を備える、電子機器。